(57)【要約】 【課題】  操作性が良く、表示内容を効率的に制御できる画像表示デバイス、画像表示システム及び画像表示デバイスの画像表示方法を提供する。【解決手段】  画像表示デバイスは、表示手段と、表示データ記憶手段と、管理データ記憶手段と、応力検知手段と、動き検知手段と、制御手段とを有する。表示データ記憶手段は、表示手段に表示する画像の表示データを記憶する。管理データ記憶手段は、表示データ記憶手段に記憶した前記表示データの画像における各部分領域の管理データを記憶する。応力検知手段は、表示手段の表示領域の周囲に与えられた応力を検知する。動き検知手段は、当該画像表示デバイス全体の動きを検知する。制御手段は、表示手段が表示する画像における部分領域のうち応力検知手段が応力を検知した位置に対応する位置の部分領域の表示内容を保持したまま、動き検知手段で検知した動きに応じて表示手段が表示する画像を切り替える。【選択図】図１
2011054171.tif 000002
【特許請求の範囲】
【請求項１】
画像表示デバイスにおいて、
画像を表示する表示手段と、
前記表示手段に表示する画像の表示データを記憶する表示データ記憶手段と、
前記表示データ記憶手段に記憶した前記表示データの画像における各部分領域の管理データを記憶する管理データ記憶手段と、
前記表示手段が画像を表示できる表示領域の周囲に与えられた応力を検知する応力検知手段と、
当該画像表示デバイス全体の動きを検知する動き検知手段と、
前記表示手段が表示する画像における部分領域のうち前記応力検知手段が応力を検知した位置に対応する位置の部分領域の表示内容を保持したまま、前記動き検知手段で検知した動きに応じて前記表示手段が表示する画像を切り替える制御手段と、
を有することを特徴とする画像表示デバイス。
【請求項２】
前記応力検知手段は、ひずみゲージである、
ことを特徴とする請求項１に記載の画像表示デバイス。
【請求項３】
前記制御手段は、前記動き検知手段がページ送りに相当する動きを検知した場合、前記表示手段が表示していた画像の次のページの画像に、前記応力検知手段が応力を検知した位置に対応する位置の部分領域の表示内容を合成した画像を前記表示手段に表示させる、
ことを特徴とする請求項１の画像表示デバイス。
【請求項４】
前記制御手段は、前記応力検知手段が応力を検知した位置に対応する位置の部分領域を選択状態であることを示す状態で表示する、
ことを特徴とする請求項１の画像表示デバイス。
【請求項５】
画像表示デバイスと画像処理装置とを有する画像表示システムにおいて、
前記画像処理装置は、
画像データを取得する画像取得部と、
前記画像取得部で取得した画像データにおける部分領域を検出する領域解析手段と、
前記画像取得部で取得した画像データと前記領域解析手段で検出した当該画像データにおける各部分領域の管理データとを前記画像表示デバイスへ送信する制御手段と、を有し、
前記画像表示デバイスは、
画像を表示する表示手段と、
前記画像処理装置から供給された画像データを表示データとして記憶する表示データ記憶手段と、
前記画像処理装置から供給された前記画像データにおける各部分領域の管理データを記憶する管理データ記憶手段と、
前記表示手段が画像を表示できる表示領域の周囲に与えられた応力を検知する応力検知手段と、
当該画像表示デバイス全体の動きを検知する動き検知手段と、
前記表示手段が表示する画像における部分領域のうち前記応力検知手段が応力を検知した位置に対応する位置の部分領域の表示内容を保持したまま、前記動き検知手段で検知した動きに応じて前記表示手段が表示する画像を切り替える制御手段と、を有する、
ことを特徴とする画像表示システム。
【請求項６】
さらに、前記領域解析手段により検出した各部分領域におけるテキスト情報を認識する文字認識手段と、
前記文字認識手段により認識したテキスト情報により部分領域の種別を判定する情報判別手段と、を有し、
前記制御手段は、各部分領域におけるテキスト情報と各部分領域の種別とを含む管理データを画像表示デバイスへ送信する、
ことを特徴とする請求項５に記載の画像表示システム。
【請求項７】
画像表示デバイスにおいて、
画像を表示する表示手段と、
前記表示手段に表示する画像の表示データを暗号化した暗号化データを記憶する暗号化データ記憶手段と、
前記暗号化データ記憶手段に記憶した前記表示データの画像における各部分領域の管理データを記憶する管理データ記憶手段と、
当該画像表示デバイスに接触しているユーザを検知する接触検知手段と、
前記接触検知手段により接触していることを検知したユーザが前記表示データの画像において閲覧可能な部分領域を復号化する復号手段と、
前記復号手段により復号した部分領域を前記表示手段に表示させる制御手段と、
を有することを特徴とする画像表示デバイス。
【請求項８】
前記接触検知手段は、当該画像表示デバイスに接触するユーザが所持するキーデバイスからユーザ情報を取得するインターフェースである、
ことを特徴とする前記請求項７に記載の画像表示デバイス。
【請求項９】
前記制御手段は、前記復号手段が復号しない前記ユーザが閲覧不可な部分領域をマスクをかけた状態で表示させる、
ことを特徴とする前記請求項７に記載の画像表示デバイス。
【請求項１０】
画像表示デバイスと画像処理装置とを有する画像表示システムにおいて、
前記画像処理装置は、
画像データを取得する画像取得部と、
前記画像取得部で取得した画像データにおける部分領域を検出する領域解析手段と、
前記画像取得部で取得した画像データを暗号化する暗号化手段と、
前記暗号化手段により暗号化した画像データと前記領域解析手段で検出した当該画像データにおける各部分領域の管理データとを前記画像表示デバイスへ転送する制御手段と、を有し、
前記画像表示デバイスは、
画像を表示する表示手段と、
前記画像処理装置の前記暗号化手段で暗号化された暗号化データを記憶する暗号化データ記憶手段と、
前記暗号化データ記憶手段に記憶した前記暗号化データの画像データにおける各部分領域の管理データを記憶する管理データ記憶手段と、
当該画像表示デバイスに接触しているユーザを検知する接触検知手段と、
前記接触検知手段により接触していることを検知したユーザが前記画像データにおいて閲覧可能な部分領域を復号化する復号手段と、
前記復号手段により復号した部分領域を前記表示手段に表示させる制御手段と、を有する、
ことを特徴とする画像表示システム。
【請求項１１】
画像表示デバイスに画像を表示する画像表示方法であって、
表示データを記憶し、
前記表示データの画像における各部分領域の管理データを記憶し、
前記表示データを表示する表示領域の周囲に与えられた応力を検知し、
当該画像表示デバイスの動きを検知し、
前記表示領域に表示される表示データの画像における部分領域のうち前記応力を検知した位置に対応する位置の部分領域の表示内容を保持したまま、前記検知した動きに応じて前記表示手段が表示する画像を切り替える、
ことを特徴とする画像表示方法。
【請求項１２】
画像表示デバイスに画像を表示する画像表示方法であって、
画像データを取得し、
前記取得した画像データにおける部分領域を検出し、
前記取得した画像データを表示データとして記憶し、
前記検出した当該画像データにおける各部分領域の管理データを記憶し、
前記表示データを表示する表示領域の周囲に与えられた応力を検知し、
前記画像表示デバイスの動きを検知し、
前記表示領域に表示される表示データの画像における部分領域のうち前記応力を検知した位置に対応する位置の部分領域の表示内容を保持したまま、前記検知した動きに応じて前記表示手段が表示する画像を切り替える、
ことを特徴とする画像表示方法。
【請求項１３】
画像表示デバイスに画像を表示する画像表示方法であって、
画像を表示する表示手段と、
表示データを暗号化した暗号化データを記憶し、
前記暗号化した表示データの画像における各部分領域の管理データを記憶し、
当該画像表示デバイスに接触するユーザを検知し、
前記接触していることを検知したユーザが前記表示データにおいて閲覧可能な部分領域を復号化し、
前記復号した部分領域を表示する、
ことを特徴とする画像表示方法。
【請求項１４】
画像表示デバイスに画像を表示する画像表示方法であって、
画像データを取得し、
前記取得した画像データにおける部分領域を検出し、
前記取得した画像データを暗号化し、
前記暗号化した画像データを記憶し、
前記暗号化した画像データにおける各部分領域の管理データを記憶し、
前記像表示デバイスに接触しているユーザを検知し、
前記接触していることを検知したユーザが前記画像データにおいて閲覧可能な部分領域を復号化し、
前記復号した部分領域を表示する、
ことを特徴とする画像表示方法。
【発明の詳細な説明】
【技術分野】
【０００１】
本実施形態は、画像を表示する画像表示デバイス、画像表示デバイスに画像を表示するための画像表示システムおよび画像表示デバイスの画像表示方法に関する。
【背景技術】
【０００２】
電子ペーパなどの画像表示デバイスにおいては、当該デバイスに与えられた応力を検出し、検出した応力に応じて表示する画像のページを切り替える技術がある。また、画像表示デバイスには、当該デバイスの動きを加速度センサによって検出し、検出した動きに応じて表示する画像のページを切り替える技術がある。
【先行技術文献】
【特許文献】
【０００３】
【特許文献１】特開２００５−２６７１７０号公報
【特許文献２】特開２００９−１５７０３６号公報
【発明の概要】
【発明が解決しようとする課題】
【０００４】
本発明の実施形態は、操作性が良く、表示内容を効率的に制御できる画像表示デバイス、画像表示システム及び画像表示デバイスの画像表示方法を提供することを目的とする。
【課題を解決するための手段】
【０００５】
実施形態によれば、画像表示デバイスは、表示手段と、表示データ記憶手段と、管理データ記憶手段と、応力検知手段と、動き検知手段と、制御手段とを有する。表示データ記憶手段は、表示手段に表示する画像の表示データを記憶する。管理データ記憶手段は、表示データ記憶手段に記憶した前記表示データの画像における各部分領域の管理データを記憶する。応力検知手段は、表示手段の表示領域の周囲に与えられた応力を検知する。動き検知手段は、当該画像表示デバイス全体の動きを検知する。制御手段は、表示手段が表示する画像における部分領域のうち応力検知手段が応力を検知した位置に対応する位置の部分領域の表示内容を保持したまま、動き検知手段で検知した動きに応じて表示手段が表示する画像を切り替える。
【図面の簡単な説明】
【０００６】
【図１】第１の実施の形態に係る画像表示デバイスの構成例をブロック図。
【図２】画像表示デバイスの外観構成例を示す図。
【図３】管理データ記憶部に記憶する管理データの例を示す図。
【図４】第１の実施の形態に係る画像表示デバイスの表示例を示す図。
【図５】第１の実施の形態に係る画像表示デバイスの表示例を示す図。
【図６】第１の実施の形態に係る画像表示デバイスの表示例を示す図。
【図７】第１の実施の形態に係る画像表示デバイスの表示例を示す図。
【図８】第１の実施の形態に係る画像表示デバイスの表示例を示す図。
【図９】第１の実施の形態に係る画像表示デバイスにおける表示制御を説明するためのフローチャート。
【図１０】第２の実施の形態に係る画像表示システムの構成例を示す図。
【図１１】第２の実施の形態に係る画像表示システムにおける動作例を説明するためのフローチャート。
【図１２】第３の実施の形態に係る画像表示デバイスの構成例を示すブロック図。
【図１３】第３の実施の形態に係る画像表示デバイスの外観構成例を示す図。
【図１４】管理データ記憶部に記憶する管理データの例を示す図。
【図１５】キーデバイスとの通信不可な状態における表示例を示す図。
【図１６】管理者以外のユーザのキーデバイスとの通信状態における表示例を示す図。
【図１７】管理者のキーデバイスとの通信状態における表示例を示す図。
【図１８】第３の実施の形態に係る画像表示デバイスにおける表示制御を説明するためのフローチャート。
【図１９】第４の実施の形態に係る画像表示システムの構成例を示す図。
【図２０】第４の実施の形態に係る画像表示システムにおける動作例を説明するためのフローチャート。
【発明を実施するための形態】
【０００７】
以下、実施の形態について、図面を参照して説明する。  
（第１の実施の形態）
図１は、第１の実施形態に係る画像表示デバイスの構成例を示すブロック図である。また、図２は、画像表示デバイス１０の一例としての電子ペーパの外観構成例を示す図である。  
画像表示デバイス１０は、ユーザが手に持って使用する装置である。たとえば、画像表示デバイス１０は、図２に示すような電子ペーパを想定する。画像表示デバイス１０としての電子ペーパは、ユーザが手に持った状態で画像を表示することができる。
【０００８】
図１に示すように、画像表示デバイス１０は、プロセッサ１１、ワークメモリ１２、プログラムメモリ１３、データメモリ１４、表示モジュール１５、表示制御モジュール１６、応力測定モジュール１７、および加速度測定モジュール１８を有する。
【０００９】
プロセッサ１１は、当該デバイス１０全体を制御する。プロセッサ１１は、プログラムを実行することにより処理を実行する。たとえば、プログラム１１は、オペレーティングシステム（ＯＳ）を実行することにより当該画像表示デバイス１０を制御する。ワークメモリ１２は、作業用のデータを記憶する。ワークメモリ１２は、たとえば、ランダムアクセスメモリ（ＲＡＭ）で構成する。プログラムメモリ１３は、プロセッサ１１が実行するプログラムを記憶する。プログラムメモリ１３は、不揮発性メモリにより構成する。プロセッサ１１は、ワークメモリ１２を使用してプログラムメモリ１３が記憶するプログラムを実行することにより、当該デバイス１０の制御およびデータ処理を実行する。
【００１０】
データメモリ１４は、データを記憶する。データメモリ１４は、表示データあるいは管理データなどのデータを記憶する。データメモリ１４は、表示データ記憶部１４ａと管理データ記憶部１４ｂとを有する。表示データ記憶部１４ａは、表示モジュール１５に表示する表示データを記憶する。管理データ記憶部１４ｂは、表示データに関する属性情報などを管理データとして記憶する。
【００１１】
表示モジュール１５は、表示パネルである。たとえば、表示モジュール１５は、電子ペーパ用途の表示パネルである。表示モジュール１５は、様々な表示パネルで構成できる。たとえば、表示モジュール１５は、曲げることが可能な表示パネルで構成できる。表示モジュール１５は、表示領域の周囲をユーザが曲げる（あるいは押す）ことができればよく、画像の表示領域自体は曲げることがでない表示パネルであっても良い。
【００１２】
表示制御モジュール１６は、表示モジュール１５としての表示パネルに表示する表示内容を制御する。表示制御モジュール１６は、プロセッサ１１の制御により表示内容を制御する。たとえば、プロセッサ１１がオペレーティングシステム（ＯＳ）で当該画像表示デバイス１０を制御する場合、表示制御モジュール１６は、ＯＳが持つウインドウマネージャに対して描画指示を出すアプリケーションのようなもので実現できる。
【００１３】
応力測定モジュール１７は、加えられた力を測定する。たとえば、応力測定モジュール１７は、ひずみゲージなどにより構成する。図２に示す構成例では、応力測定モジュール１７は、表示モジュール１５を取り囲むように設置する。たとえば、ユーザが表示モジュール１５の周囲の一部に折り曲げる力を加えると、応力測定モジュール１７は、折り曲げる力が加えられた位置を検知する。応力測定モジュール１７は、応力を検知した位置を示す情報をプロセッサ１１へ出力する。なお、応力測定モジュール１７は、表示モジュール１５の周囲においてユーザが触れた位置を検知するセンサ（例えばタッチパネル）で構成しても良い。
【００１４】
たとえば、表示モジュール１５の周囲に配置した応力測定モジュールによれば、ユーザは、電子ペーパを手で保持して表示された画像を閲覧しながら、電子ペーパの一部（表示モジュール１５の周辺部位）に力を加えることによって何らかの指示を与えることができる。すなわち、応力測定モジュール１７は、ユーザが力を加えた位置を検知する。プロセッサ１１は、応力測定モジュール１７が検知した位置に対応する表示領域を選択状態とするなどの制御が可能である。
【００１５】
管理データ記憶部１４ｂは、表示する画像における各部分領域の属性情報を含む管理データを記憶する。管理データには、部分領域の位置情報（座標情報）を含む。ユーザが表示されている画像中で指定したい部分領域と近接した箇所に力をかけると、応力測定モジュール１７によりユーザが力をかけた箇所を検知し、プロセッサ１１が応力測定モジュール１７が検知した位置の近傍にある部分領域を特定することができる。プロセッサ１１は、表示中の画像における部分領域の位置情報により応力測定モジュール１７が応力を検知した位置に対応する部分領域を判定（選択）することができる。
【００１６】
加速度測定モジュール１８は、画像表示デバイス（電子ペーパ）自体の動きを検知する。加速度測定モジュール１８は、加速度センサなどにより構成する。加速度測定モジュール１８は、電子ペーパにおける任意の位置に１つ又は複数個設置される。加速度測定モジュール１８は、電子ペーパ自体の左右方向における移動、上下方向における移動、および回転を検知する。加速度測定モジュール１８は、左右方向における移動量、上下方向における移動量、および回転方向における移動量（回転量）を検知し、検知した情報をプロセッサ１１へ出力する。たとえば、ユーザが電子ペーパを振ったり向きを変えたりするような動きを加速度測定モジュール１８が検知する。プロセッサ１１は、加速度測定モジュール１８が検知する電子ペーパの動きを特定し、電子ペーパの動きをユーザによる操作指示として判定できる。
【００１７】
次に、表示データ及び管理データについて詳細に説明する。  
表示データ記憶部１４ａは、表示モジュール１５に表示する表示データ（コンテンツ）を記憶する。表示データ記憶部１４ａが記憶する表示データは、表示制御モジュール１６が表示モジュール１５に描画できるデータ形式、あるいは、描画できるデータ形式に変換できるデータ形式である。汎用的なデータ形式を表示可能なデータ形式として採用するのであれば、表示データ記憶部１４ａは、たとえば、ＪＰＥＧのファイルフォーマット、あるいは、ＰＤＦのファイルフォーマットなどのデータ形式で表示データを記憶する。
【００１８】
管理データ記憶部１４ｂは、表示データに対する属性情報を記憶する。管理データ記憶部１４ｂは、１頁分の表示データ全体だけでなく、１頁分の画像における部分領域に対する属性情報を記憶する。たとえば、表示データのデータ形式が表示内容を構造的に記述するファイルフォーマットである場合、管理データ記憶部１４ｂは、表示画像を構成する各部分領域の属性情報を管理する。このような部分領域は、たとえば、オブジェクトあるいはボックスと称される。このような部分領域の多くは、画像中における矩形領域として記述される。
【００１９】
表示データ記憶部１４ａに記憶する表示データは、単なる1ページ分の画素の並びからなるページ画像のデータ形式（ＢＭＰファイルフォーマットなど）であったり、複数ページ分のページ画像の画素とともに画像データに関連する情報と共に管理するデータ形式（マルチページのＴＩＦＦファイルフォーマットなど）であったりしても良い。この場合、管理データ記憶部１４ｂは、ページ画像を単純な部分領域に分割し、分割した各部分領域の属性情報を管理することができる。このような部分領域は、単なる各画素の位置を示す座標情報で記述できる。このような部分領域に対する属性情報などを管理データとして管理データ記憶部１４ｂは、記憶することができる。
【００２０】
図３は、管理データ記憶部１４ｂに記憶する管理データの例を示す図である。
【００２１】
図３では、表示データの一例としてＢＭＰファイルなどの単純な画素の並びで記述されるデータ形式の画像における部分領域の管理データを記憶した例を示す。図３に示す例において、各部分領域に対する管理データは、画像ＩＤ、領域ＩＤ、座標情報、領域種別、テキスト情報、および領域意味情報からなる。
【００２２】
画像ＩＤは、各頁の画像に割り振られた画像識別情報である。領域ＩＤは、各ページの画像を単純な矩形の領域に分割した各部分領域に割り振った領域識別情報である。座標情報は、部分領域の位置を示す座標である。たとえば、座標情報は、図２に示すように、表示領域の左上の端点を基準とし、右方向をｘ方向として下方向をｙ方向としても良い。部分領域が矩形領域であるとすれば、座標情報は、図３に示すように、左上の座標値と右下の座標値（あるいは、左下の座標値と右上の座標値）とである。領域種別は、当該部分領域の種別を示す。図３に示す例では、各部分領域の領域種別は、文字となっている。テキスト情報は、領域種別が文字領域である場合に、当該部分領域に表示する文字例のテキスト情報を示す。領域意味情報は、当該部分領域がどのような意味を持った領域であるかを示す。図３に示す例では、各部分領域の領域意味情報として、ヘッダ日付、タイトル、本文、ヘッダ副題、本文、ヘッダ日付、会社名、日付などが記憶されている。
【００２３】
図３は、３ページ分の画像に対する各部分領域の管理データの例を示している。たとえば、1ページ目の画像は、画像ＩＤが「画像1」であり、２ページ目の画像は、画像ＩＤが「画像２」であり、３ページ目の画像は画像ＩＤが「画像３」である。「画像１」の画像は、領域ＩＤが「ａ」、「ｂ」、「ｃ」の３つの部分領域を有する。領域ＩＤが「ａ」の部分領域は、「画像１」の画像において一番上部の部分領域である。領域ＩＤが「ｂ」の部分領域は、「画像１」の画像において、領域ＩＤが「ａ」の部分領域の下側にある。領域ＩＤが「ｃ」の領域は、「画像１」の画像において、領域ＩＤが「ｂ」の部分領域の下側にある。
【００２４】
さらに、図３に示す例では、領域ＩＤが「a」の部分領域は、位置およびテキスト情報（例えば、文字種（日付を示す数値）を考慮）から領域意味として「ヘッダー日付」という属性が与えられている。領域ＩＤが「b」の部分領域は、位置およびテキスト情報（例えば、文字の大きさを考慮）から領域意味として「タイトル」という属性が与えられている。領域ＩＤが「c」の部分領域は、位置およびテキスト情報（たとえば、文字数を考慮）から領域意味として「本文」という属性が与えられている。
【００２５】
次に、画像表示デバイス１０（電子ペーパ）における表示内容の制御例について説明する。  
図４乃至図８は、画像表示デバイス１０が表示する表示内容の遷移例を示す図である。  
図４は、表示モジュール１５による表示例として、３つの表示画面Ｐ１１、Ｐ１２、Ｐ１３に遷移する例を示す。図４は、画像表示デバイス１０を任意の方向に動かした場合（当該デバイス１０自体を振った場合）、ユーザが押す位置（曲げる位置）に対応する部分領域の表示内容を保持したまま、画像のページを切り替える表示制御の例を示している。
【００２６】
図４に示す表示例において、表示画面Ｐ１１は、１ページ目の画像全体を表示した状態を示す。表示画面Ｐ１２は、１ページ目の画像全体を表示した状態において「電子ペーパの未来」と表示した部分領域をユーザが選択した状態を示す。ユーザは、「電子ペーパの未来」と表示した部分領域の近傍を押すことより当該部分領域を選択できる。表示画面Ｐ１２では、ユーザが選択した部分領域（ユーザが押した位置に対応する位置の部分領域）を反転表示する。ユーザが選択した部分領域は、たとえば、強調表示、表示色の変更、当該部分領域の背景色の変更、あるいは網掛け表示などにより選択状態であることを表示しても良い。
【００２７】
たとえば、図４に示すように、横書きの文書画像では、ｙ方向の位置をユーザが指定することにより特定の部分領域を選択できる場合が多い。このため、図４に示す表示例では、ユーザは、表示モジュール１５の周囲において、「電子ペーパの未来」と表示した部分領域のｙ方向の座標位置を含む位置を押すことにより、当該部分領域を選択できる。この場合、応力測定モジュール１７は、ユーザが押した（曲げた）位置のｙ方向の座標位置を示す情報をプロセッサ１１へ出力する。プロセッサ１１は、応力測定モジュール１７が検知したｙ方向の座標位置によりユーザが指示した位置に該当する部分領域を判定する。
【００２８】
ただし、縦書きの文書画像などでは、ｘ方向の位置を指定することにより特定の部分領域を指示できる場合が多い。このような場合、ユーザは、表示モジュール１５の周囲において、所望の部分領域のｘ方向の座標位置を含む位置を押す（曲げる）ことにより、所望の部分領域を選択しても良い。この場合、応力測定モジュール１７は、ユーザが押した（曲げた）位置のｘ方向の座標位置を示す情報をプロセッサ１１へ出力する。プロセッサ１１は、応力測定モジュール１７が検知したｘ方向の座標位置によりユーザが押した位置に対応する位置の部分領域を判定する。
【００２９】
また、ｙ方向の位置とｘ方向の位置とを指定することにより特定の部分領域を選択できるようにしても良い。このような場合、ユーザは、表示モジュール１５の周囲において、所望の部分領域のｙ方向の座標位置を含む位置と当該部分領域のｘ方向の座標位置を含む位置と同時に押す（例えば、両手を使ってｙ方向の位置とｘ方向の位置とを押す）ことにより、所望の部分領域を選択しても良い。この場合、応力測定モジュール１７は、ユーザが押した（曲げた）位置のｙ方向の座標位置とｘ方向の座標位置とを示す情報をプロセッサ１１へ出力する。プロセッサ１１は、応力測定モジュール１７が検知したｙ方向の座標位置とｘ方向の座標位置とによりユーザが押した位置に対応する位置の部分領域を判定する。
【００３０】
また、表示画面Ｐ１２の表示状態のままの状態（つまり、ユーザが特定の部分領域を指示したままの状態）で、当該ユーザが画像表示デバイス１０全体を振った（任意の方向に動かした）場合、表示モジュール１５は、表示画面Ｐ１２を表示画面Ｐ１３に切り替える。つまり、ユーザが画像表示デバイス１０全体を振った場合、加速度測定モジュール１８は、当該デバイス１０の動きを検知し、当該デバイス１０の動きを示す情報をプロセッサ１１へ出力する。プロセッサ１１は、加速度測定モジュール１８から当該デバイス１０の動きを示す情報を受けると、ユーザが選択している部分領域の表示内容を残したままで、表示モジュール１５に表示する画像を次のページの画像に切り替える。すなわち、表示画面Ｐ１３では、ユーザが選択している部分領域を残したまま、当該部分領域以外を次のページの画像に切り替えた表示例である。
【００３１】
図５は、表示モジュール１５による表示例として、３つの表示画面Ｐ１１、Ｐ１２、Ｐ１３に遷移する例を示す。図５は、画像表示デバイス１０を右方向に動かした場合に、ユーザが指示する位置（曲げる位置）に対応する部分領域の画像を保持したまま、画像のページを次のページに切り替える表示制御（ページ送り制御）の例を示している。
【００３２】
図５に示す表示例において、表示画面Ｐ１１は、１ページ目の画像全体を表示した状態を示す。表示画面Ｐ１２は、１ページ目の画像全体を表示した状態において「電子ペーパの未来」と表示した部分領域をユーザが指示した状態を示す。図５では、表示画面Ｐ１２を表示した状態で、ユーザが「電子ペーパの未来」と表示した部分領域のｙ方向の座標位置を含む表示モジュール１５の周囲の位置を押しつつ、画像表示デバイス１０を右方向に動かした状態を示している。
【００３３】
この場合、加速度測定モジュール１８は、当該デバイス１０が右方向に動いたことを示す情報をプロセッサ１１へ出力する。加速度測定モジュール１８から当該デバイス１０が右方向に動いたことを示す情報を受けると、プロセッサ１１は、ユーザが選択している部分領域の表示内容を残したままで、表示モジュール１５に表示する画像を次のページの画像に切り替える。すなわち、ユーザが部分領域を選択した状態で当該デバイス１０を右方向に動かすと、プロセッサ１１は、表示モジュール１５に表示する表示画面Ｐ１２を表示画面Ｐ２１に切り替える。
【００３４】
図６は、表示モジュール１５による表示例として、３つの表示画面Ｐ２１、Ｐ２２、Ｐ１１に遷移する例を示す。図６は、画像表示デバイス１０を左方向に動かした場合に、ユーザが指示する位置（曲げる位置）に対応する部分領域の画像を保持したまま、表示する画像のページを前のページに切り替える表示制御（ページ戻り制御）の例を示している。
【００３５】
図６に示す表示例において、表示画面Ｐ２１は、１ページ目の画像における「電子ペーパの未来」と表示した部分領域を残したままで、２ページ目の画像全体を表示した状態を示す。表示画面Ｐ２２は、「電子ペーパの未来」と表示した部分領域以外の領域に２ページ目の画像を表示した状態において、「電子ペーパの未来」と表示した部分領域をユーザが指示した状態を示す。また、図６では、表示画面Ｐ２２を表示した状態で、ユーザが「電子ペーパの未来」と表示した部分領域のｙ方向の座標位置を含む表示モジュール１５の周囲の位置を押しつつ、画像表示デバイス１０を左方向に動かした状態を示している。
【００３６】
この場合、加速度測定モジュール１８は、当該デバイス１０が左方向に動いたことを示す情報をプロセッサ１１へ出力する。加速度測定モジュール１８から当該デバイス１０が左方向に動いたことを示す情報を受けると、プロセッサ１１は、ユーザが選択している部分領域の表示内容を残したままで、表示モジュール１５に表示する画像を前のページの画像に切り替える。すなわち、ユーザが部分領域を選択した状態で当該デバイス１０を左方向に動かすと、プロセッサ１１は、表示モジュール１５に表示する表示画面Ｐ２２を表示画面Ｐ１１に切り替える。
【００３７】
図７は、表示モジュール１５による表示例として、３つの表示画面Ｐ１１、Ｐ１２、Ｐ１３に遷移する例を示す。図７は、画像表示デバイス１０をＺ軸に対して反時計回りに回転させた場合に、ユーザが指示する位置（曲げる位置）に対応する部分領域の画像を保持したまま、画像のページを次のページに切り替える表示制御（ページ送り制御）の例を示している。
【００３８】
図７に示す表示例において、表示画面Ｐ１１は、１ページ目の画像全体を表示した状態を示す。表示画面Ｐ１２は、１ページ目の画像全体を表示した状態において「電子ペーパの未来」と表示した部分領域をユーザが指示した状態を示す。図７では、表示画面Ｐ１２を表示した状態で、ユーザが「電子ペーパの未来」と表示した部分領域のｙ方向の座標位置を含む表示モジュール１５の周囲の位置を押しつつ、画像表示デバイス１０をＺ軸に対して反時計周りに回転させた状態を示している。
【００３９】
この場合、加速度測定モジュール１８は、当該デバイス１０がＺ軸に対して反時計回りに回転したことを示す情報をプロセッサ１１へ出力する。加速度測定モジュール１８から当該デバイス１０がＺ軸に対して反時計回りに回転したことを示す情報を受けると、プロセッサ１１は、ユーザが選択している部分領域の表示内容を残したままで、表示モジュール１５に表示する画像を次のページの画像に切り替える。すなわち、ユーザが部分領域を選択した状態で当該デバイス１０をＺ軸に対して反時計回りに回転させると、プロセッサ１１は、表示モジュール１５に表示する表示画面Ｐ１２を表示画面Ｐ２１に切り替える。
【００４０】
なお、Ｚ軸に対して反時計周りに回転させることは、図７を示す紙面に対してデバイス１０の右側を手前に動かす（あるいは、紙面に対してデバイス１０の左側を後方へ動かす）ことであっても良い。つまり、プロセッサ１１は、加速度測定モジュール１８が当該デバイス１０の右側が手前に動いたことを検知した場合（あるいは、当該デバイス１０の左側が後方に動いたことを検知した場合）、ユーザが選択している部分領域の表示内容を残したままで、表示モジュール１５に表示する画像を次のページの画像に切り替えるようにしても良い。
【００４１】
図８は、表示モジュール１５による表示例として、３つの表示画面Ｐ２１、Ｐ２２、Ｐ１１に遷移する例を示す。図８は、画像表示デバイス１０をＺ軸に対して時計周りに動かした場合に、ユーザが指示する位置（曲げる位置）に対応する部分領域の画像を保持したまま、表示する画像のページを前のページに切り替える表示制御（ページ戻り制御）の例を示している。
【００４２】
図８に示す表示例において、表示画面Ｐ２１は、１ページ目の画像における「電子ペーパの未来」と表示した部分領域を残したままで、２ページ目の画像全体を表示した状態を示す。表示画面Ｐ２２は、「電子ペーパの未来」と表示した部分領域以外の領域に２ページ目の画像を表示した状態において、「電子ペーパの未来」と表示した部分領域をユーザが指示した状態を示す。また、図８では、表示画面Ｐ２２を表示した状態で、ユーザが「電子ペーパの未来」と表示した部分領域のｙ方向の座標位置を含む表示モジュール１５の周囲の位置を押しつつ、画像表示デバイス１０をＺ軸に対して時計周りに回転させた状態を示している。
【００４３】
この場合、加速度測定モジュール１８は、当該デバイス１０がＺ軸に対して時計周りに回転したことを示す情報をプロセッサ１１へ出力する。加速度測定モジュール１８から当該デバイス１０がＺ軸に対して時計周りに回転したことを示す情報を受けると、プロセッサ１１は、ユーザが選択している部分領域の表示内容を残したままで、表示モジュール１５に表示する画像を前のページの画像に切り替える。すなわち、ユーザが部分領域を選択した状態で当該デバイス１０をＺ軸に対して時計周りに回転させると、プロセッサ１１は、表示モジュール１５に表示する表示画面Ｐ２２を表示画面Ｐ１１に切り替える。
【００４４】
なお、当該デバイス１０をＺ軸に対して時計周りに回転させることは、図８を示す紙面に対してデバイス１０の左側を手前に動かす（あるいは、紙面に対してデバイス１０の右側を後方へ動かす）ことであっても良い。つまり、プロセッサ１１は、加速度測定モジュール１８が当該デバイス１０の左側が手前に動いたことを検知した場合（あるいは、当該デバイス１０の右側が後方に動いたことを検知した場合）、ユーザが選択している部分領域の表示内容を残したままで、表示モジュール１５に表示する画像を前のページの画像に切り替えるようにしても良い。
【００４５】
次に、第１の実施の形態に係る画像表示デバイス１０における表示制御の流れについて説明する。  
図９は、画像表示デバイス１０における表示制御の流れを説明するためのフローチャートである。  
まず、プロセッサ１１は、表示制御モジュール１６により１ページ目の画像を表示モジュール１５に表示する（ＡＣＴ１０）。表示モジュール１５に画像を表示した状態において、プロセッサ１１は、応力測定モジュール１７により曲げ応力が与えられていないかを測定する（ＡＣＴ１１）。たとえば、応力測定モジュール１７は、一定間隔で、ある閾値を超える応力が表示モジュール１５の周囲に加えられているか否かを検知する。応力に対する閾値は、ユーザが表示モジュール１５の周囲における一部の箇所を押して（曲げて）いるか否かを判定するための閾値である。
【００４６】
応力測定モジュール１７は、ある閾値を超える応力を検知した場合（ＡＣＴ１２、ＹＥＳ）、押された位置（曲げられた位置）を示す情報（ｙ方向の位置あるいはｘ方向の位置）をプロセッサ１１へ通知する。プロセッサ１１は、応力測定モジュール１７からの通知により応力を検知した位置を特定する。応力測定モジュール１７が応力を検知した位置を特定すると、プロセッサ１１は、応力を検知した位置に対応する座標位置に表示した部分領域を判別する（ＡＣＴ１３）。応力を検知した位置に対応する部分領域を判別すると、プロセッサ１１は、応力を検知した位置に対応する部分領域の表示状態を選択状態であることを示す表示内容に更新する（ＡＣＴ１４）。たとえば、プロセッサ１１は、選択状態であることを示す表示内容として、当該部分領域を反転表示させる。このような表示により、ユーザは、選択状態である部分領域を容易に認識できる。
【００４７】
なお、選択状態となった部分領域は、ユーザが対応する位置を押している（曲げている）間、選択状態を継続するようにしても良いし、ユーザが対応する位置を押すこと（曲げること）をやめても、選択状態を継続するようにしても良い。
【００４８】
また、表示モジュール１５に画像を表示した状態において、プロセッサ１１は、加速度測定モジュール１８により当該デバイス１０に与えられた動き（空間的な操作）を測定する（ＡＣＴ１５）。たとえば、加速度測定モジュール１８は、加速度センサが検出する値によって当該デバイス１０の動きを示す情報を測定する。プロセッサ１１は、加速度測定モジュール１８から得られた情報により当該デバイス１０がどのような動きをしたかを判別する。プロセッサ１１は、加速度測定モジュールによる当該デバイス１０の動きの測定を常に一定間隔で実施する。また、プロセッサ１１は、当該デバイス１０の動きの測定を、上記ＡＣＴ１３で応力が検出された場合に一定間隔で行うようにしても良い。この場合、プロセッサ１１は、図９に示す点線で示す流れで処理を実行すれば良い。
【００４９】
加速度測定モジュール１８により当該デバイス１０の動きを検知した場合（ＡＣＴ１６、ＹＥＳ）、プロセッサ１１は、検知された当該デバイス１０の動きが、表示モジュール１５に表示するページの切り替え（ページ送り又はページ戻りなどのページめくり）を指示する動きであるか否かを判別する（ＡＣＴ１７）。ページの切替を指示する当該デバイス１０の動きとしては、「画像表示デバイス全体を振る」、「画像表示デバイス全体を左右方向に動かす」、「画像表示デバイス全体を回転させる」などの動きを設定できる。
【００５０】
たとえば、図４は、「画像表示デバイス全体を振る」という動作を検出した場合に、表示する画像のページを切替る例を示す。図５は、「画像表示デバイス全体を右方向に動かす」という動作を検出した場合に、表示する画像を次のページに切替る例（ページ送りの例）を示す。図６は、「画像表示デバイス全体を左方向に動かす」という動作を検出した場合に、表示する画像を前のページに切替る例（ページ戻りの例）を示す。図７は、「画像表示デバイス全体をＺ軸を中心に反時計回りに回転する」という動作を検出した場合に、表示する画像を次のページに切替る例（ページ送りの例）を示す。図８は、「画像表示デバイス全体をＺ軸を中心に時計回りに回転する」という動作を検出した場合に、表示する画像を前のページに切替る例（ページ戻りの例）を示す。
【００５１】
なお、ページの切替を指示する当該デバイス１０の動きとしては、表示モジュール１５の表示領域における縦横方向をｙ軸及びｘ軸方向としたｘｙ平面に対する垂直方向に対して反時計回りの加速度を検知した場合にページ送りとし、時計方向の回転を検知した場合にはページ戻りとしても良い。さらに、回転方向に対するページ送りとページ戻りとの設定は、上述の例と逆に設定しても良い。
【００５２】
ページの切替を指示する当該デバイス１０の動きを検知した場合（ＡＣＴ１７、ＹＥＳ）、プロセッサ１１は、選択状態となっている部分領域の表示内容を変更せずに、その他の領域を次のページの画像の表示内容に書き換える（ＡＣＴ１８）。すなわち、ページ切替の指示を受けたプロセッサ１１は、ユーザが表示モジュール１５の周囲を押すことにより選択状態とした部分領域を表示したまま、その他の領域を次のページの画像に切り替える。なお、選択状態の部分領域の表示内容を保持したまま、次のページの画像を表示する場合、プロセッサ１１は、次のページの画像における各部分領域のレイアウトを変更するようにしても良い。  
上記ＡＣＴ１１〜１８の処理は、画像表示デバイス１０による画像表示を終了するまで実施される。すなわち、プロセッサ１１は、画像表示デバイス１０による画像表示の指示を受けた場合（ＡＣＴ１９、ＹＥＳ）、上記したＡＣＴ１１〜１８による表示制御を終了する。
【００５３】
上記の表示制御によれば、たとえば、１ページ目の画像を表示した状態において、領域「ｂ」を表示させたまま、２ページ目の画像を表示したい場合、ユーザは、表示モジュールの周辺のうち領域「ｂ」に対応する位置（領域「ｂ」のｙ方向における座標を含む位置、あるいは、ｘ方向における座標を含む位置）を指などで押えるという操作を行う。すると、プロセッサ１１はユーザが押さえた位置（曲げ応力を与えた位置）を示す情報を応力測定モジュール１７から取得する。プロセッサ１１は、ユーザが押さえた位置に対応する表示位置の部分領域を特定し、特定した部分領域を選択状態とする。
【００５４】
所望の部分領域（表示したままとしたい部分領域）を選択状態とした状態において、ユーザは、ページの切替を指示する動きを当該デバイス１０に与える。すると、プロセッサ１１は、ユーザが周囲を押えることにより選択した領域「ｂ」の表示内容は残したまま、２ページ目の画像を表示する。これにより、表示モジュール１５では、ユーザが指定する部分領域の表示内容を保持したまま、表示する画像のページの切替（ページめくり）を行える。また、ユーザが表示内容を保持する部分領域に対応する位置を押さえること、および、ユーザが表示するページを切り替えるための当該デバイス１０を動かすことは、現実世界での操作感覚に似た操作であるため、操作性が良い。
【００５５】
上記のように、第１の実施形態に係る画像表示デバイスは、画像を表示する表示領域の周囲に与えられた応力を検知し、表示領域に表示した表示データにおける部分領域のうち表示領域の周囲で応力を検知した位置に対応する位置の部分領域を選択状態とし、選択状態とした部分領域の表示内容を保持したまま、当該画像表示デバイスの動きに応じて表示領域に表示する画像を切り替える。
【００５６】
これにより、第１の実施の形態によれば、表示領域の周囲を押す（あるいは曲げる）という動作と当該画像表示デバイス自体を動かすという動作とで、所望の部分領域の表示内容を保持しつつ、それ以外領域の画像を切り替えるという操作が可能となる。この結果として本第１の実施の形態に係る画像表示デバイスでは、表示した画像全体だけでなく、表示した部分領域についての表示制御もユーザの感覚的な操作（動作)で実現できる。
【００５７】
（第２の実施の形態）
第２の実施の形態では、第１の実施の形態で説明した画像表示デバイスを含む画像表示システムについて説明する。  
図１０は、第２の実施の形態に係る画像表示システムの構成例を示す図である。  
画像表示システムは、画像表示デバイス１０Ａと画像処理装置２０とを通信接続したシステムである。画像表示デバイス１０Ａは、プロセッサ１１、ワークメモリ１２、プログラムメモリ１３、データメモリ１４、表示モジュール１５、表示制御モジュール１６、応力測定モジュール１７、加速度測定モジュール１８および通信モジュール１９を有する。プロセッサ１１、ワークメモリ１２、プログラムメモリ１３、データメモリ１４、表示モジュール１５、表示制御モジュール１６、応力測定モジュール１７、および加速度測定モジュール１８は、第１の実施の形態において、画像表示デバイス１０の構成として説明したものと同様なもので実現できる。
【００５８】
図１０に示す画像表示デバイス１０Ａにおける通信モジュール１９は、画像処理装置２０とデータ通信を行うための通信インターフェースである。通信モジュール１９は、画像処理装置２０が具備する通信モジュールに対応する。例えば、通信モジュール１９は、有線で通信を行うためのインターフェースであっても良いし、無線ＬＡＮ通信を行うためのインターフェースであっても良いし、近距離無線通信を行うためのインターフェースであっても良い。
【００５９】
画像処理装置２０は、たとえば、デジタル複合機である。画像処理装置２０は、表示データとしての画像入力部を有するコンピュータであっても良い。図１０に示す構成例において、画像処理装置２０は、システム制御部２１、スキャナ２２、プリンタ２３、および操作パネル２４などを有する。システム制御部２１は、画像処理装置２０における各部の制御およびデータ処理などを実施する。
【００６０】
スキャナ２２は、原稿面における画像を光学的に読取って、画像データに変換する。スキャナ２２は、読取った原稿の画像データをシステム制御部２１へ出力する。プリンタ２３は、画像を記録媒体（紙）にプリントする。操作パネル２４は、ユーザが操作指示を入力するためのデバイスである。操作パネル２４は、ユーザに案内を表示する表示部を有しても良い。
【００６１】
システム制御部２１は、図１０に示すように、プロセッサ３１、ワークメモリ３２、プログラムメモリ３３、データメモリ３４、画像入力インターフェース３５、通信モジュール３６、領域解析モジュール３７、ＯＣＲモジュール３８、および、情報解析モジュール３９を有する。
【００６２】
プロセッサ３１は、当該画像処理装置２０全体を制御する。プロセッサ３１は、プログラムを実行することにより処理を実行する。ワークメモリ３２は、作業用のデータを記憶する。ワークメモリ３２は、たとえば、ランダムアクセスメモリ（ＲＡＭ）で構成する。プログラムメモリ３３は、プロセッサ３１が実行するプログラムを記憶する。プログラムメモリ３３は、不揮発性メモリにより構成する。プロセッサ３１は、ワークメモリ３２を使用してプログラムメモリ３３が記憶するプログラムを実行することにより、各部の制御およびデータ処理を実行する。データメモリ３４は、データを記憶する。データメモリ３４は、たとえば、画像データなどを記憶する。画像入力インターフェース３５は、外部装置から画像データを入力するためのインターフェースである。
【００６３】
通信モジュール３６は、画像表示デバイス１０Ａとデータ通信を行うための通信インターフェースである。通信モジュール３６は、画像表示デバイス１０Ａが具備する通信モジュールに対応するものである。例えば、通信モジュール３６は、有線で通信を行うためのインターフェースであっても良いし、無線ＬＡＮ通信を行うためのインターフェースであっても良いし、近距離無線通信を行うためのインターフェースであっても良い。
【００６４】
領域解析モジュール３７は、各ページの画像データに含まれる部分領域を検出する。領域解析モジュール３７は、画像データにおける各部分領域の位置を示す座標情報を検出する。たとえば、領域解析モジュール３７は、画像データにおける画素の分布を解析し、文字候補領域を選出し、選出した文字候補領域を連結することにより文字列領域を部分領域として抽出する。たとえば、領域解析モジュール３７は、画像データにおける部分領域を矩形領域として検出し、検出した矩形の部分領域を示す２つの端点の座標を検出した部分領域の座標情報とする。
【００６５】
ＯＣＲモジュール３８は、画像に含まれる文字情報を認識するＯＣＲ処理を行う。ＯＣＲモジュール３８は、領域解析モジュール３７が検出した各部分領域に対してＯＣＲ処理する。たとえば、ＯＣＲモジュール３８は、領域解析モジュール３７によって検出した部分領域としての文字列領域から各文字候補を切り出し、切り出した各文字候補の画素パターンを事前に文字辞書に登録されている文字の画素パターンと比較することにより、各文字を認識する。ＯＣＲモジュール３８は、各文字の認識結果を連結することにより部分領域におけるテキスト情報を判定する。
【００６６】
情報解析モジュール３９は、領域解析モジュール３７が検出した各部分領域の属性（意味）を解析する。情報解析モジュール３９は、部分領域の位置とＯＣＲモジュール３８による文字認識の処理結果とにより各部分領域の属性を判定する。たとえば、情報解析モジュール３９は、部分領域におけるテキスト情報が日付らしい文字列である場合、当該部分領域の属性を日付と判定する。また、情報解析モジュール３９は、当該部分領域の位置が当該ページの画像において最上部に位置する場合、当該部分領域の属性をヘッダと判定しても良い。さらに、情報解析モジュール３９は、画像の最上部に位置する部分領域におけるテキスト情報が日付らしい文字列である場合、当該部分領域の属性をヘッダ日付と判定しても良い。
【００６７】
なお、領域解析モジュール３７、ＯＣＲモジュール３８あるいは情報解析モジュール３９と同様な機能は、画像表示デバイス１０Ａに設けても良い。ただし、本第２の実施の形態のおいては、画像表示デバイス１０Ａとして電子ペーパを想定した場合、データ処理能力がデジタル複合機あるいはコンピュータなどの画像処理装置よりも劣ることが予想される。このため、本第２の実施の形態では、領域解析モジュール３７、ＯＣＲモジュール３８あるいは情報解析モジュール３９は、画像処理装置２０が具備するものとする。
【００６８】
次に、第２の実施の形態に係る画像表示システムにおける動作例について説明する。  
第２の実施の形態では、画像処理装置２０としてのデジタル複合機が原稿をスキャンし、スキャンした原稿の画像を表示データとして画像表示デバイス１０Ａへ転送する処理について説明する。
【００６９】
図１１は、第２の実施の形態に係る画像表示システムにおける動作例を説明するためのフローチャートである。  
まず、画像処理装置２０では、ユーザがスキャナ２２に原稿をセットし、操作パネル２４でスキャン画像の画像表示デバイス１０Ａへの登録処理を指示したものとする。すると、システム制御部２１のプロセッサ３１は、スキャナ２２にセットされた原稿面をスキャンすることにより画像データを取得する（ＡＣＴ２１）。スキャナ２２が読取った原稿の画像データは、画像表示デバイス１０Ａに表示データとして登録する画像として、システム制御部２１へ供給される。なお、画像表示デバイス１０Ａに表示データとして登録する画像データは、画像入力インターフェース３５により外部装置から取得しても良い。
【００７０】
表示データとしての画像データを取得すると、プロセッサ３１は、領域解析モジュール３７により画像データを解析し、当該画像データに含まれる部分領域を検出（抽出）する（ＡＣＴ２２）。領域解析モジュール３７は、検出した各部分領域の座標情報を解析する。たとえば、領域解析モジュール３７は、矩形領域としての部分領域の座標情報を当該画像データ全体における２つの端点の座標により特定する。
【００７１】
領域解析モジュール３７が画像データにおける部分領域を検出すると、プロセッサ３１は、ＯＣＲモジュール３８により各部分領域内をＯＣＲ処理する（ＡＣＴ２３）。ＯＣＲモジュール３８は、各部分領域に含まれる文字候補を抽出し、抽出した各文字候補を辞書データと比較することにより文字認識する。文字認識により得られた文字を並べることにより、ＯＣＲモジュール３８は、各部分領域における文字列情報としてテキスト情報を認識する。
【００７２】
各部分領域におけるテキスト情報を認識すると、プロセッサ３１は、情報解析モジュール３９により部分領域の属性（意味）を判定する（ＡＣＴ２４）。情報解析モジュール３９は、領域解析モジュール３７が検出した部分領域の位置情報（座標情報）とＯＣＲモジュール３８が認識したテキスト情報とにより部分領域の属性（意味）を判定する。
【００７３】
部分領域の属性を判定すると、プロセッサ３１は、表示データとしての原稿の画像データにおける各部分領域に関する管理データを作成する（ＡＣＴ２５）。管理データは、たとえば、図３に示すような情報からなる。つまり、プロセッサ３１は、領域解析モジュール３７、ＯＣＲモジュール３８及び情報解析モジュール３９により得られた情報を各部分領域に関する管理データとしてまとめる。
【００７４】
各部分領域の管理データを作成すると、プロセッサ３１は、通信モジュール３６によりスキャンした原稿の画像データを画像表示デバイス１０Ａへ転送する。ことにより、プロセッサ３１は、スキャンした原稿の画像データを表示データとして画像表示デバイス１０Ａの表示データ記憶部１４ａに記憶させる（ＡＣＴ２６）。また、プロセッサ３１は、各部分領域の管理データを画像表示デバイス１０Ａへ転送する。これにより、プロセッサ３１は、スキャンした原稿の画像における各部分領域の管理データを画像表示デバイス１０Ａの管理データ記憶部１４ｂに記憶させる（ＡＣＴ２７）。各部分領域の管理データは、表示する画像のページを切り替える場合であってもユーザの操作で表示状態を保持しておける領域を示す情報である。
【００７５】
すなわち、画像表示デバイス１０Ａでは、画像処理装置２０から転送される原稿の画像データを表示データとして表示データ記憶部１４ａに記憶し、各部分領域の管理データを管理データ記憶部１４ｂに記憶する。この結果、画像表示デバイス１０Ａでは、画像処理装置でスキャンした画像データあるいは外部装置から入力した画像データについても、第１の実施形態で説明したような表示制御が可能となる。
【００７６】
たとえば、原稿の画像が図４の表示画面Ｐ１１に示すような画像である場合、領域解析モジュール３７は、画像における「２００９／０８／２８」という文字列領域（領域ＩＤを「ａ」とする）、「電子ペーパの未来」という文字列領域（領域ＩＤを「ｂ」とする）、「ＡＡＡＡＡＡ…」という文字列領域（領域ＩＤを「ｃ」とする）を、ぞれぞれ部分領域として抽出する。  
ＯＣＲモジュール３８は、領域ＩＤが「ａ」の部分領域におけるテキスト情報を「２００９／０８／２８」と認識し、領域ＩＤが「ｂ」の部分領域におけるテキスト情報を「電子ペーパの未来」と認識し、領域ＩＤが「ｃ」の部分領域におけるテキスト情報を「ＡＡＡＡＡＡ…」と認識する。
【００７７】
さらに、情報解析モジュール３９は、領域ＩＤが「ａ」の部分領域の属性をその位置とテキスト情報の意味から「ヘッダー日付」と判定し、領域ＩＤが「ｂ」の部分領域の促成をその位置とテキスト情報の意味とから「タイトル」と判定し、領域ＩＤが「ｃ」の部分領域の属性をその位置とテキスト情報の意味とから「本文」と判定する。  
これらの解析によれば、画像データにおける各部分領域について、図３に示すような管理データが作成できる。
【００７８】
上記のような第２の実施形態のシステムでは、画像処理装置がスキャナでスキャンした画像データ、あるいはＰＣなどの外部装置から入力した画像データ（例えば、プリントが指示された画像データ）を解析することにより、画像データにおける部分領域に検出し、各部分領域ごとの管理データで作成する。これにより、画像表示デバイスでは、画像処理装置から入力した画像を単純にページ単位で表示するだけでなく、一部の表示領域のみを保持して他の領域を別のページの画像に切り替えるなどの表示が可能となる。
【００７９】
（第３の実施の形態）
図１２は、第３の実施形態に係る画像表示デバイス１１０の構成例を示すブロック図である。また、図１３は、画像表示デバイス１１０の一例としての電子ペーパの構成例を示す図である。  
画像表示デバイス１１０は、ユーザが手に持って使用する装置である。たとえば、画像表示デバイス１１０は、図１３に示すような電子ペーパを想定する。画像表示デバイス１１０としての電子ペーパは、ユーザが手に持った状態で画像を表示することができる。
【００８０】
図１２に示すように、画像表示デバイス１１０は、プロセッサ１１１、ワークメモリ１１２、プログラムメモリ１１３、データメモリ１１４、表示モジュール１１５、表示制御モジュール１１６、復号モジュール１１７、ユーザ情報判別モジュール１１８および外部通信モジュール１１９を有する。
【００８１】
プロセッサ１１１は、当該デバイス１１０全体を制御する。プロセッサ１１１は、プログラムを実行することにより処理を実行する。たとえば、プログラム１１１は、オペレーティングシステム（ＯＳ）を実行することにより当該画像表示デバイス１１０を制御する。ワークメモリ１１２は、作業用のデータを記憶する。ワークメモリ１１２は、たとえば、ランダムアクセスメモリ（ＲＡＭ）で構成する。プログラムメモリ１１３は、プロセッサ１１が実行するプログラムを記憶する。プログラムメモリ１３は、不揮発性メモリにより構成する。プロセッサ１１１は、ワークメモリ１１２を使用してプログラムメモリ１１３が記憶するプログラムを実行することにより、当該デバイス１１０の制御およびデータ処理を実行する。
【００８２】
データメモリ１１４は、データを記憶する。データメモリ１１４は、表示データあるいは管理データなどのデータを記憶する。データメモリ１１４は、暗号化データ記憶部１１４ａと管理データ記憶部１１４ｂとを有する。暗号化データ記憶部１１４ａは、表示モジュール１１５に表示する表示データを暗号化したデータを記憶する。管理データ記憶部１１４ｂは、表示データに関する属性情報などを管理データとして記憶する。
【００８３】
この第３の実施の形態では、画像表示デバイス１１０で表示されるコンテンツには、秘匿性の高いものが含まれる可能性があることを想定する。一般には、表示内容が適切に制御され、秘匿性を保っても、内部のデータを不正に直接読み取るなどで外部に知られてしまう可能性がある。このため、暗号化データ記憶部１１４ａは、暗号化した表示データ(暗号化データ)を記憶するものとする。ただし、全く暗号化する必要がない表示データ（秘匿する必要がない表示データ）については、暗号化せずに暗号化データ記憶部１１４ａに記憶しても良い。なお、表示データは、プロセッサ１１１が実行するＯＳのファイルシステム、あるいはファイルアクセス用のアプリケーションプログラムなどによって暗号化可能である。
【００８４】
管理データ記憶部１１４ｂは、表示する画像における各部分領域の属性情報を含む管理データを記憶する。管理データには、部分領域の位置情報（座標情報）を含む。本第３の実施の形態では、表示データが暗号化されて暗号化データ記憶部１１４ａに記憶される。これに対応して、管理データ記憶部１１４ｂは、各部分領域に対する暗号化された表示データの復号許可に関する情報を含む管理データを記憶する。
【００８５】
表示モジュール１１５は、表示パネルである。図１３に示す構成例では、表示モジュール１１５は、電子ペーパ用途の表示パネルである。表示モジュール１１５は、様々な表示パネルで構成できる。表示モジュール１１５は、表示領域の周囲に外部通信モジュール１１９を配置できるものであればよい。たとえば、表示モジュール１１５は、曲げることが可能な表示パネルで構成しても良いし、曲げることがでない表示パネルで構成しても良い。
【００８６】
表示制御モジュール１１６は、表示モジュール１１５としての表示パネルに表示する表示内容を制御する。表示制御モジュール１１６は、プロセッサ１１１の制御指示に応じて表示内容を制御する。たとえば、プロセッサ１１１がオペレーティングシステム（ＯＳ）で当該画像表示デバイス１１０を制御する場合、表示制御モジュール１１６は、プロセッサ１１１が実行するＯＳが持つウインドウマネージャに対して描画指示を出すアプリケーションが有する表示制御機能により実現できる。
【００８７】
復号モジュール１１７は、暗号化されたデータを復号する。復号モジュール１１７は、暗号化データ記憶部１１４ａが既往する暗号化された表示データを復号し、表示可能なデータに変換する。復号モジュール１１７は、ユーザ情報により暗号化データを復号するために必要な復号キー（暗号キー情報）を取得する。なお、復号モジュール１１７は、プロセッサ１１１が実行するＯＳのファイルシステム、あるいはファイルアクセス用のアプリケーションプログラムなどが有する復号処理機能により実現しても良い。
【００８８】
ユーザ情報判別モジュール１１８は、ユーザ情報を判別する。ユーザ情報判別モジュール１１８は、ユーザの権限を判定したり、復号モジュール１１７が暗号化データを復号するために必要な復号キーを取得したりするためのユーザ情報を判別する。たとえば、ユーザ情報判別モジュール１１８は、外部通信モジュール１１９で通信可能なキーデバイスＫＤに記憶したユーザ情報を取得する。ユーザ情報判別モジュール１１８は、外部の認証システムからユーザ認証が成功したユーザに関するユーザ情報を取得するものであったり、ユーザが所持するＩＤカードからユーザ情報を取得するものであって良い。
【００８９】
また、ユーザ情報判別モジュール１１８は、ユーザ認証機能を有しても良い。たとえば、ユーザ情報判別モジュール１１８は、外部通信モジュール１１９によりユーザ認証情報を取得し、ユーザ認証を行う。すなわち、ユーザ情報判別モジュール１１８は、ユーザが所持する外部デバイスからユーザ認証情報を取得し、ユーザ認証を行うことができる。また、ユーザ情報判別モジュール１１８は、操作装置でユーザが入力するユーザＩＤとパスワードとによりユーザ認証を行うようにしても良い。
【００９０】
外部通信モジュール１１９は、外部のデバイスと通信するインターフェースである。外部通信モジュール１１９は、キーデバイスＫＤと通信する。キーデバイスＫＤは、ユーザ認証のためのユーザ情報を保持するデバイスである。キーデバイスＫＤは、各ユーザが身につけて所持するものを想定する。外部通信モジュール１１９とキーデバイスＫＤとは、微弱な電流により通信を行う。外部通信モジュール１１９とキーデバイスＫＤとが通信するための微弱な電流は、人体内を流れることできる。すなわち、外部通信モジュール１１９とキーデバイスＫＤとは、人体を介した人体通信を行うことができる。
【００９１】
図１３に示す構成例では、外部通信モジュール１１９は、当該デバイス１１０の外縁に沿って、表示モジュール１１５を取り囲むように設置する。たとえば、キーデバイスＫＤあるいはキーデバイスＫＤを所持するユーザがデバイス１１０の表示モジュール１１５の周囲に触れると、外部通信モジュール１１９は、人体を介して或は直接的にキーデバイスＫＤを接触し、キーデバイスＫＤと通信する。
【００９２】
たとえば、画像表示デバイス１１０は、ユーザが手に持って操作することが想定される。このため、画像表示デバイス１１０を使用するユーザは、当該デバイスの外縁に触れると想定される。つまり、画像表示デバイス１１０を使用するユーザがキーデバイスＫＤを身に着けた状態であれば、画像表示デバイス１１０の外縁に設置した外部通信モジュール１１９とキーデバイスＫＤとは、通信可能な状態となる。外部通信モジュール１１９とキーデバイスＫＤとが通信可能となれば、画像表示デバイス１１０のユーザ情報判別モジュール１１８は、キーデバイスＫＤが取得するユーザ情報によりユーザ認証ができる。
【００９３】
また、ユーザが画像表示デバイス１１０から手を離した状態でも、画像を表示できるように、画像表示デバイス１１０には、キーデバイスＫＤそのものを外部通信モジュール１１９に接触させる機構を設けても良い。たとえば、画像表示デバイス１１０には、キーデバイスＫＤを引っ掛けることがｄでき、かつ、外部通信モジュール１１９と接続した引っ掛け機構を設けても良い。
【００９４】
また、外部通信モジュール１１９は、ユーザが所持するキーデバイスＫＤからユーザ認証用のユーザ情報を所得できるものであれば良く、たとえば、キーデバイスＫＤとの近距離無線通信を行うものであっても良い。この他にも、外部の認証システムと連携してユーザ認証ができる形態であれば、外部通信モジュール１１９は、一般的な無線通信機能により外部の認証システムと通信する機能を有するものであって良い。
【００９５】
次に、暗号化データ及び管理データについて詳細に説明する。  
暗号化データ記憶部１１４ａは、表示モジュール１１５に表示する表示データ（コンテンツ）を暗号化したデータを記憶する。暗号化データ記憶部１１４ａは、１ページ分の画像の表示データを暗号化した暗号化データを記憶しても良いし、１ページ分の画像における各部分領域ごとに表示データを暗号化した暗号化データを記憶しても良い。
【００９６】
暗号化データ記憶部１１４ａが記憶する暗号化データは、表示制御モジュール１６が表示モジュール１５に描画できるデータ形式、あるいは、描画できるデータ形式に変換できるデータ形式の表示データを暗号化したものである。汎用的なデータ形式を表示可能なデータ形式として採用するのであれば、暗号化データ記憶部１１４ａは、たとえば、ＪＰＥＧのファイルフォーマット、あるいは、ＰＤＦのファイルフォーマットなどのデータ形式で表示データを暗号化した暗号化データを記憶する。
【００９７】
管理データ記憶部１１４ｂは、表示データに対する属性情報を記憶する。管理データ記憶部１１４ｂは、１頁分の表示データ全体だけでなく、１頁分の画像における各部分領域に対する属性情報を記憶する。たとえば、表示データのデータ形式が表示する画像内容を構造的に記述するファイルフォーマットである場合、管理データ記憶部１１４ｂは、画像内容を構造化される各部分領域の属性情報を管理する。このような部分領域は、たとえば、オブジェクトあるいはボックスと称される。このような部分領域の多くは、画像中における矩形領域として記述される。
【００９８】
暗号化データ記憶部１１４ａに暗号化して記憶される表示データは、単なる1ページ分の画素の並びからなるページ画像のデータ形式（ＢＭＰファイルフォーマットなど）であったり、複数ページ分のページ画像の画素とともに画像データに関連する情報と共に管理するデータ形式（マルチページのTIFFファイルフォーマットなど）であっても良い。この場合、管理データ記憶部１１４ｂは、ページ画像を単純な部分領域に分割し、分割した各部分領域の属性情報を管理データとして記憶できる。このような部分領域は、当該部分領域を構成する画素の位置を示す座標情報で記述できる。このような部分領域に対する属性情報などを管理データとして管理データ記憶部１１４ｂは、記憶することができる。
【００９９】
図１４は、管理データ記憶部１１４ｂに記憶する管理データの例を示す図である。  
図１４では、表示データの一例としてＢＭＰファイルなどの単純な画素の並びで記述されるデータ形式の画像における部分領域の管理データを記憶した例を示す。図１４に示す例において、各部分領域に対する管理データは、画像ＩＤ、領域ＩＤ、座標、領域種別、テキスト情報、領域意味情報、および復号許可情報からなる。
【０１００】
画像ＩＤは、各頁の画像に割り振られた画像識別情報である。領域ＩＤは、各ページの画像を単純な矩形の領域に分割した各部分領域に割り振った領域識別情報である。座標は、部分領域の位置を示す座標情報である。たとえば、座標情報は、図１３に示すように、表示モジュール１５による表示領域の左上の端点を基準とし、右方向をｘ方向として下方向をｙ方向としても良い。この場合、部分領域が矩形領域であるとすれば、座標情報は、図１４に示すように、２つの端点の座標値（左上の座標値と右下の座標値、あるいは、左下の座標値と右上の座標値）で表せる。領域種別は、当該部分領域の種別を示す。図１４に示す例では、各部分領域の領域種別は、文字である。
【０１０１】
テキスト情報は、領域種別が文字領域である場合に、当該部分領域に表示する文字例のテキスト情報を示す。ただし、テキスト情報は、秘匿するために、全部または一部を省略したり、暗号化したデータとしたりしても良い。また、管理データには、復号許可情報で全ユーザが復号可能な場合にのみテキスト情報を付加するようにしても良い。領域意味情報は、当該部分領域がどのような意味を持った領域であるかを示す。図１４に示す例では、各部分領域の領域意味情報として、ヘッダ日付、タイトル、住所、氏名などが記憶されている。
【０１０２】
復号許可情報は、部分領域の復号を許可する条件を示す情報である。たとえば、復号許可情報は、復号を許可する条件として、部分領域の閲覧権限を有するユーザを示す情報である。また、ユーザが触れていなくとも表示を許可する部分領域の復号許可情報は、無条件で復号を許可する旨の情報であって良い。復号許可情報は、領域意味情報に応じて設定しても良いし、個々の部分領域に対してユーザるいは管理者が設定しても良い。
【０１０３】
図１４に示す例では、「ヘッダー日付」の部分領域は、不特定の人物が見ても問題ない部分領域とする。このため、図１４において、「ヘッダー日付」の部分領域は、復号許可情報が「無条件」となっている。図１４に示す例では、「タイトル」の部分領域は、全ユーザに閲覧権限があるものとする。このため、図１４において「タイトル」の部分領域は、復号許可条件が「全ユーザ」となっている。図１４に示す例では、「住所」および「氏名」の部分領域は、管理者のみに閲覧権限があるものとする。このため、図１４において、「住所」の部分領域と「氏名」の部分領域とは、復号許可条件が管理者となっている。
【０１０４】
次に、画像表示デバイス１１０における復号許可情報に応じた表示例について説明する。  
図１５、図１６及び図１７は、復号許可情報に応じた表示モジュール１１５の表示例を示す図である。図１５、図１６及び図１７は、図１４に示すような管理データの画像（画像「１」）を表示モジュール１１５に表示した例を示す図である。
【０１０５】
図１５は、画像表示デバイス１１０の外部通信モジュール１１９に触れるユーザあるいはキーデバイスがない状態における表示例を示す。  
図１４では、領域意味情報が「ヘッダー日付」の部分領域のみ、復号許可情報が無条件となっている。このため、キーデバイスＫＤを所持するユーザあるいはキーデバイスが外部通信モジュール１１９に触れていない状態では、プロセッサ１１１は、「ヘッダー日付」の部分領域のみを復号化し、図１５に示すように、表示モジュール１１５に「ヘッダー日付」の部分領域を表示し、その他の領域を全てマスクした状態で表示する。
【０１０６】
また、キーデバイスを所持するユーザあるいはキーデバイスが外部通信モジュール１１９に触れていない状態において、表示モジュール１１５は、「ヘッダー日付」の部分領域以外の領域は無表示としても良い。
【０１０７】
図１６は、キーデバイスＫＤを所持する（キーデバイスＫＤを身につけた）管理者以外のユーザが画像表示デバイス１１０の外部通信モジュール１１９に触れている状態における表示例を示す。  
図１４では、領域意味情報が「ヘッダー日付」の部分領域の復号許可情報が無条件であり、領域意味情報が「タイトル」の部分領域の復号許可情報が全ユーザとなっている。このため、キーデバイスを所持する管理者以外のユーザあるいは管理者以外のユーザ用のキーデバイスが外部通信モジュール１１９に触れた状態では、プロセッサ１１１は、「ヘッダー日付」の部分領域と「タイトル」の部分領域とを復号化し、図１６に示すように、表示モジュール１１５に、「ヘッダー日付」の部分領域と「タイトル」の部分領域とを表示し、その他の領域（つまり、復号許可情報が管理者の部分領域）をマスクした状態で表示する。
【０１０８】
また、キーデバイスを所持する管理者以外のユーザあるいは管理者以外のユーザ用のキーデバイスが外部通信モジュール１１９に触れた状態において、表示モジュール１１５は、「ヘッダー日付」と「タイトル」の部分領域以外の領域（つまり、復号許可情報が管理者の部分領域）は無表示としても良い。
【０１０９】
図１７は、キーデバイスＫＤを所持する管理者（キーデバイスＫＤを身につけた管理者）が画像表示デバイス１１０の外部通信モジュール１１９に触れている状態における表示例を示す。  
図１４では、領域意味情報が「ヘッダー日付」の部分領域の復号許可情報が無条件であり、領域意味情報が「タイトル」の部分領域の復号許可情報が全ユーザであり、領域意味情報が「住所」と「氏名」の部分領域の復号許可情報が管理者である。このため、キーデバイスを所持する管理者あるいは管理者用のキーデバイスが外部通信モジュール１１９に触れた状態では、プロセッサ１１１は、「ヘッダー日付」、「タイトル」、「住所」及び「氏名」の部分領域（つまり、当該画像における全部分領域）を復号化し、図１７に示すように、表示モジュール１１５に、「ヘッダー日付」、「タイトル」、「住所」及び「氏名」の部分領域（つまり、当該画像における全部分領域）を表示する。
【０１１０】
次に、第３の実施の形態に係る画像表示デバイス１１０における表示制御の流れについて説明する。  
図１８は、画像表示デバイス１１０における表示制御の流れを説明するためのフローチャートである。  
表示対象のページが指定された場合、プロセッサ１１１は、表示対象となるページ画像としての暗号化データを暗号化データ記憶部１１４ａから読込む（ＡＣＴ１１１）。プロセッサ１１１は、当該ページ画像に含まれる各部分領域の管理データにより、表示対象となる画像において条件付きで復号が許可される部分領域（復号許可情報が無条件以外の部分領域）が有るか否かを判断する（ＡＣＴ１１２）。
【０１１１】
条件付きで復号が許可される領域がない（全部分領域の復号許可情報が無条件である）と判断した場合（ＡＣＴ１１２、ＮＯ）、プロセッサ１１１は、復号モジュール１１７により当該ページ画像の全領域の暗号化データを復号する（ＡＣＴ１１３）。当該ページ画像の全領域を復号化すると、プロセッサ１１１は、表示制御モジュール１１６により復号した当該ページ画像の全領域を表示モジュール１１５に表示する（ＡＣＴ１１４）。プロセッサ１１１は、表示ページの切替が指示されるまで、表示モジュール１１５による表示状態を保持する。表示ページの切替が指示された場合（ＡＣＴ１１５、ＹＥＳ）、プロセッサ１１１は、上記ＡＣＴ１１１へ戻り、次のページの画像に対する表示制御を行う。
【０１１２】
条件付きで復号が許可される領域があると判断した場合（ＡＣＴ１１２、ＹＥＳ）、プロセッサ１１１は、外部通信モジュール１１９によりキーデバイスＫＤと通信を試みる（ＡＣＴ１１６）。これにより、プロセッサ１１１は、当該画像表示デバイス１１０に触れているユーザのキーデバイスＫＤの有無を判断する（ＡＣＴ１１７）。ここで、プロセッサ１１１は、ユーザ情報判別モジュール１１８がキーデバイスＫＤから取得するユーザ認証情報によるユーザ認証に成功した場合に有効なキーデバイスＫＤが検出できたと判断するようにしても良い。言い換えれば、ユーザ認証に失敗した場合、プロセッサ１１１は、キーデバイスＫＤの検出できなかったと判断するようにしても良い。
【０１１３】
キーデバイスＫＤが検出できなった場合（ＡＣＴ１１７、ＮＯ）、プロセッサ１１１は、当該ページ画像において無条件で復号できる部分領域のみを復号する（ＡＣＴ１１３）。無条件で復号できる一部の部分領域のみを復号した場合、プロセッサ１１１は、表示制御モジュール１１６により復号化した部分領域のみを表示モジュール１１５に表示する（ＡＣＴ１１４）。この場合、プロセッサ１１１は、復号しなかった部分領域をマスクした状態で表示しても良いし、無表示としても良い。なお、キーデバイスＫＤが検出できなった場合、当該ページ画像において無条件で復号できる部分領域がなければ、プロセッサ１１１は、全領域をマスクした状態で表示する。この場合、プロセッサ１１１は、全領域を無表示しても良いし、表示できる領域が無い旨のメッセージを表示モジュール１１５に表示しても良い。
【０１１４】
また、外部通信モジュール１１９と通信可能なキーデバイスＫＤを検出した場合（ＡＣＴ１１７、ＹＥＳ）、プロセッサ１１１は、外部通信モジュール１１９を介して検出したキーデバイスＫＤからユーザ情報を取得する（ＡＣＴ１１８）。キーデバイスＫＤからユーザ情報を取得すると、プロセッサ１１１は、ユーザ情報判別モジュール１１８により当該キーデバイスＫＤから取得したユーザ情報により当該ユーザの権限レベルを確認し、当該ページ画像において当該ユーザが全領域を閲覧可能であるか否かを判断する（ＡＣＴ１１９）。
【０１１５】
当該ページ画像の全領域を当該ユーザが閲覧可能でないと判断した場合（ＡＣＴ１１９、ＮＯ）、プロセッサ１１１は、当該ページ画像における各部分領域の管理データにより当該ユーザが閲覧権限のある部分領域を選別する。プロセッサ１１１は、当該ユーザに閲覧権限のある部分領域を復号モジュール１１７により復号する（ＡＣＴ１２０）。この場合、復号モジュール１１７は、キーデバイスＫＤから取得したユーザ情報により復号する部分領域の暗号化データに対する復号キーを取得するようにしても良い。閲覧権限のある部分領域を復号すると、プロセッサ１１１は、表示制御モジュール１１６により表示モジュール１１５に当該ユーザが閲覧権限のある領域を表示し、当該ユーザが閲覧権限のない領域（復号できない領域）をマスクした状態で表示させる（ＡＣＴ１２１）。
【０１１６】
また、当該ページ画像の全領域を当該ユーザが閲覧可能であると判断した場合（ＡＣＴ１１９、ＹＥＳ）、プロセッサ１１１は、復号モジュール１１７により当該ページ画像の全領域を復号する（ＡＣＴ１２２）。この場合、復号モジュール１１７は、キーデバイスＫＤから取得したユーザ情報により復号キーを取得するようにしても良い。ページ画像の全領域を復号すると、プロセッサ１１１は、表示制御モジュール１１６により当該ページ画像の全領域を表示モジュール１１５に表示させる（ＡＣＴ１２３）。
【０１１７】
上記ＡＣＴ１２１あるいはＡＣＴ１２３で表示した表示内容は、キーデバイスＫＤとの通信が途絶えたり、表示ページの切替が指示されたりするまで継続する。すなわち、プロセッサ１１１は、キーデバイスＫＤとの通信継続し（ＡＣＴ１２４、ＹＥＳ）、かつ、表示ページの切替指示が無ければ（ＡＣＴ１２５、ＮＯ）、ＡＣＴ１２１あるいはＡＣＴ１２３で表示した表示内容を保持する。
【０１１８】
上記ＡＣＴ１２１あるいはＡＣＴ１２３でユーザの閲覧権限に応じた表示を行った後、キーデバイスＫＤとの通信が途絶えた場合（ＡＣＴ１２４、ＮＯ）、プロセッサ１１１は、上記ＡＣＴ１１６へ戻り、外部通信モジュール１１９によるキーデバイスＫＤと通信を再試行する。たとえば、キーデバイスＫＤを所持するユーザが外部通信モジュール１１９から離れた場合、外部通信モジュール１１９は、キーデバイスＫＤとの通信ができなくなる。すなわち、プロセッサ１１１は、キーデバイスＫＤを所持するユーザが画像表示デバイス１１０の外縁に設けた外部通信モジュール１１９に触れている間は表示状態を継続させるが、キーデバイスＫＤを所持するユーザが画像表示デバイス１１０を手放すと、当該ユーザが閲覧可能であった領域のうち無条件では復号できない領域をマスクする表示制御を行う。
【０１１９】
上記のように、第３の実施の形態に係る画像表示デバイスは、表示データを表示する表示モジュールと、表示データを暗号化して記憶するメモリと、暗号化データを復号する復号モジュールと、キーデバイスと直接あるいは人体を介して通信する通信モジュールとを有する。表示モジュールは、当該画像表示デバイスがキーデバイスとの通信状態である間、当該キーデバイスから取得するユーザ情報により閲覧可能な領域のみを復号モジュールで復号化した表示データを表示し、それ以外の閲覧不可の状態とする。
【０１２０】
これにより、第３の実施の形態によれば、当該画像表示デバイスに触れているユーザが閲覧可能な領域のみを表示することが可能となる。すなわち、第３の実施の形態に係る画像表示デバイスでは、表示データを暗号化して保存でき、表示データにおける部分領域ごとに第３者による閲覧を制限でき、各領域のセキュリティレベルに応じた表示制御ができる。この結果として、第３の実施の形態に係る画像表示デバイスでは、ユーザの操作性が良く、セキュリティ性の高い表示処理を提供できる。
【０１２１】
（第４の実施の形態）
第４の実施の形態では、第３の実施の形態で説明した画像表示デバイスを含む画像表示システムについて説明する。  
図１９は、第４の実施の形態に係る画像表示システムの構成例を示す図である。  
画像表示システムは、画像表示デバイス１１０Ａと画像処理装置１３０とを通信接続したシステムである。画像表示デバイス１１０Ａは、画像表示デバイス１１０は、プロセッサ１１１、ワークメモリ１１２、プログラムメモリ１１３、データメモリ１１４、表示モジュール１１５、表示制御モジュール１１６、復号モジュール１１７、ユーザ情報判別モジュール１１８、外部通信モジュール１１９および通信モジュール１２０を有する。画像表示デバイス１１０は、プロセッサ１１１、ワークメモリ１１２、プログラムメモリ１１３、データメモリ１１４、表示モジュール１１５、表示制御モジュール１１６、復号モジュール１１７、およびユーザ情報判別モジュール１１８は、第３の実施の形態において、画像表示デバイス１１０の構成として説明したものと同様なもので実現できる。
【０１２２】
図１９に示す画像表示デバイス１１０Ａにおける通信モジュール１２０は、画像処理装置１３０とデータ通信を行うための通信インターフェースである。通信モジュール１２０は、画像処理装置１３０が具備する通信モジュールに対応する。例えば、通信モジュール１２０は、有線で通信を行うためのインターフェースであっても良いし、無線ＬＡＮ通信を行うためのインターフェースであっても良いし、近距離無線通信を行うためのインターフェースであっても良い。
【０１２３】
画像処理装置１３０は、たとえば、デジタル複合機である。画像処理装置１３０は、表示データとしての画像入力部を有するコンピュータであっても良い。図１９に示す構成例において、画像処理装置１３０は、システム制御部１３１、スキャナ１３２、プリンタ１３３、および操作パネル１３４などを有する。システム制御部１３１は、画像処理装置１３０における各部の制御およびデータ処理などを実施する。
【０１２４】
スキャナ１３２は、原稿面における画像を光学的に読取って、画像データに変換する。スキャナ１３２は、読取った原稿の画像データをシステム制御部１３１へ出力する。プリンタ１３３は、画像を記録媒体（紙）にプリントする。操作パネル１３４は、ユーザが操作指示を入力するためのデバイスである。操作パネル１３４は、ユーザに案内を表示する表示部を有しても良い。
【０１２５】
システム制御部１３１は、図１９に示すように、プロセッサ１４１、ワークメモリ１４２、プログラムメモリ１４３、データメモリ１４４、画像入力インターフェース１４５、通信モジュール１４６、領域解析モジュール１４７、ＯＣＲモジュール１４８、情報解析モジュール１４９、および暗号化モジュール１５０を有する。
【０１２６】
プロセッサ１４１は、当該画像処理装置１３０全体を制御する。プロセッサ１４１は、プログラムを実行することにより処理を実行する。ワークメモリ１４２は、作業用のデータを記憶する。ワークメモリ１４２は、たとえば、ランダムアクセスメモリ（ＲＡＭ）で構成する。プログラムメモリ１４３は、プロセッサ１４１が実行するプログラムを記憶する。プログラムメモリ１４３は、不揮発性メモリにより構成する。プロセッサ１４１は、ワークメモリ１４２を使用してプログラムメモリ１４３が記憶するプログラムを実行することにより、各部の制御およびデータ処理を実行する。データメモリ１４４は、データを記憶する。データメモリ１４４は、たとえば、画像データなどを記憶する。画像入力インターフェース１４５は、外部装置から画像データを入力するためのインターフェースである。
【０１２７】
通信モジュール１４６は、画像表示デバイス１１０Ａとデータ通信を行うための通信インターフェースである。通信モジュール１４６は、画像表示デバイス１１０Ａが具備する通信モジュール１２０に対応する。例えば、通信モジュール１４６は、有線で通信を行うためのインターフェースであっても良いし、無線ＬＡＮ通信を行うためのインターフェースであっても良いし、近距離無線通信を行うためのインターフェースであっても良い。
【０１２８】
領域解析モジュール１４７は、各ページの画像データに含まれる部分領域を検出する。領域解析モジュール１４７は、画像データにおける各部分領域の位置を示す座標情報を検出する。たとえば、領域解析モジュール１４７は、画像データにおける画素の分布を解析し、文字候補領域を選出し、選出した文字候補領域を連結することにより文字列領域を部分領域として抽出する。たとえば、領域解析モジュール１４７は、画像データにおける部分領域を矩形領域として検出し、検出した矩形の部分領域を示す２つの端点の座標を検出した部分領域の座標情報とする。
【０１２９】
ＯＣＲモジュール１４８は、画像に含まれる文字情報を認識するＯＣＲ処理を行う。ＯＣＲモジュール１４８は、領域解析モジュール１４７が検出した各部分領域に対してＯＣＲ処理する。たとえば、ＯＣＲモジュール１４８は、領域解析モジュール１４７によって検出した部分領域としての文字列領域から各文字候補を切り出し、切り出した各文字候補の画素パターンを事前に文字辞書に登録されている文字の画素パターンと比較することにより、各文字を認識する。ＯＣＲモジュール１４８は、各文字の認識結果を連結することにより部分領域におけるテキスト情報を認識する。
【０１３０】
情報解析モジュール１４９は、領域解析モジュール１４７が検出した各部分領域の属性（意味）を解析する。情報解析モジュール１４９は、部分領域の位置とＯＣＲモジュール１４８による文字認識の処理結果とにより各部分領域の属性を判定する。たとえば、情報解析モジュール１４９は、部分領域におけるテキスト情報が日付らしい文字列である場合、当該部分領域の属性を日付と判定する。また、情報解析モジュール１４９は、当該部分領域の位置が当該ページの画像において最上部に位置する場合、当該部分領域の属性をヘッダと判定しても良い。さらに、情報解析モジュール１４９は、画像の最上部に位置する部分領域におけるテキスト情報が日付らしい文字列である場合、当該部分領域の属性をヘッダ日付と判定しても良い。
【０１３１】
暗号化モジュール１５０は、画像データ全体あるいは領域解析モジュール１４７が検出した各部分領域を暗号化する。各部分領域を暗号化する場合、暗号化モジュール１５０は、領域解析モジュール１４７が検出した各部分領域の画像データを暗号化しても良いし、ＯＣＲモジュール１４８が認識した各部分領域におけるテキスト情報を暗号化しても良い。また、暗号化モジュール１５０は、データを暗号する暗号キーを
なお、領域解析モジュール１４７、ＯＣＲモジュール１４８、情報解析モジュール１４９および暗号化モジュール１５０と同様な機能は、画像表示デバイス１１０Ａに設けても良い。ただし、画像表示デバイス１１０Ａが電子ペーパである場合、データ処理能力はデジタル複合機あるいはコンピュータなどの画像処理装置１３０よりも劣ることが予想される。このため、本第４の実施の形態では、領域解析モジュール１４７、ＯＣＲモジュール１４８、情報解析モジュール１４９および暗号化モジュール１５０は、画像処理装置１３０が具備するものとする。
【０１３２】
次に、第４の実施の形態に係る画像表示システムにおける動作例について説明する。  
第４の実施の形態では、画像処理装置１３０としてのデジタル複合機が原稿をスキャンし、スキャンした原稿の画像を表示データとして画像表示デバイス１１０Ａへ転送する処理について説明する。
【０１３３】
図２０は、第４の実施の形態に係る画像表示システムにおける動作例を説明するためのフローチャートである。  
まず、画像処理装置１３０では、ユーザがスキャナ１３２に原稿をセットし、操作パネル１３４でスキャン画像の画像表示デバイス１１０Ａへの登録処理を指示したものとする。すると、システム制御部１３１のプロセッサ１４１は、スキャナ１３２にセットされた原稿面をスキャンすることにより画像データを取得する（ＡＣＴ１３１）。スキャナ１３２が読取った原稿の画像データは、画像表示デバイス１１０Ａに表示データとして登録する画像として、システム制御部１３１へ供給される。なお、画像表示デバイス１１０Ａに表示データとして登録する画像は、画像入力インターフェース１４５により外部装置から取得しても良い。
【０１３４】
原稿の画像データを取得すると、プロセッサ１４１は、領域解析モジュール１４７により画像データを解析し、当該画像データに含まれる部分領域を検出（抽出）する（ＡＣＴ１３２）。領域解析モジュール１４７は、検出した各部分領域の座標情報を解析する。たとえば、領域解析モジュール１４７は、矩形領域としての部分領域の座標情報を当該画像データ全体における２つの端点の座標により特定する。
【０１３５】
領域解析モジュール１４７が画像データにおける部分領域を検出すると、プロセッサ１４１は、ＯＣＲモジュール１４８により各部分領域内をＯＣＲ処理する（ＡＣＴ１３３）。ＯＣＲモジュール１４８は、各部分領域に含まれる文字候補を抽出し、抽出した各文字候補を辞書データと比較することにより認識する。文字認識結果としての文字を並べることにより、ＯＣＲモジュール１４８は、各部分領域における文字例情報としてテキスト情報を判別する。
【０１３６】
各部分領域におけるテキスト情報を判別すると、プロセッサ１４１は、情報解析モジュール１４９により部分領域の属性（意味）を判定する（ＡＣＴ１３４）。情報解析モジュール１４９は、領域解析モジュール１４７が検出した部分領域の位置情報（座標情報）とＯＣＲモジュール１４８が判別したテキスト情報とにより部分領域の属性（意味）を判定する。
【０１３７】
部分領域の属性を判定すると、プロセッサ１４１は、スキャンした原稿の画像データにおける各部分領域に関する管理データを作成する（ＡＣＴ１３５）。管理データは、たとえば、図１４に示すような情報からなる。つまり、プロセッサ１４１は、領域解析モジュール１４７、ＯＣＲモジュール１４８及び情報解析モジュール１４９により得られた情報を各部分領域に関する管理データとしてまとめる。
【０１３８】
各部分領域の管理データを作成するとともに、プロセッサ１４１は、暗号化モジュール１５０によりスキャナにより読み取った画像データ全体あるいは当該画像データにおける各部分領域を暗号化する（ＡＣＴ１３６）。暗号化モジュール１５０が暗号化したデータは、表示データの暗号化データとして使用される。
【０１３９】
表示データとしての画像データを暗号化すると、プロセッサ１４１は、通信モジュール１４６により暗号化した画像データとしての暗号化データを画像表示デバイス１１０Ａへ転送する。これにより、プロセッサ１４１は、スキャンした原稿の画像データを暗号化した暗号化データを画像表示デバイス１１０Ａの暗号化データ記憶部１１４ａに記憶させる（ＡＣＴ１３７）。また、プロセッサ１４１は、各部分領域の管理データを画像表示デバイス１１０Ａへ転送する。これにより、プロセッサ１４１は、スキャンした原稿の画像における各部分領域の管理データを画像表示デバイス１１０Ａの管理データ記憶部１１４ｂに記憶させる（ＡＣＴ１３８）。
【０１４０】
すなわち、画像表示デバイス１１０Ａでは、画像処理装置１３０から転送される原稿の画像データを暗号化した暗号化データとして暗号化データ記憶部１１４ａに記憶し、各部分領域の管理データを管理データ記憶部１１４ｂに記憶する。この結果として、画像表示デバイス１１０Ａでは、画像処理装置１３０のスキャンでスキャンした画像データあるいは外部装置から入力した画像データについても、第３の実施形態で説明したような表示制御が可能となる。
【０１４１】
上記のような第４の実施形態の画像表示システムでは、画像処理装置１３０は、スキャナでスキャンした画像データあるいはＰＣなどの外部装置から入力した画像データ（例えば、プリントが指示された画像データ）における各部分領域を解析することにより各部分領域の管理データで作成するとともに、当該画像データ全体あるいは各部分領域を暗号化して暗号化データに変換する。さらに、画像表示システムでは、画像表示デバイスは、画像処理装置１３０で暗号化した表示データとしての暗号化データを暗号化データ記憶部１１４ａに記憶し、各部分領域の管理データを管理データ記憶部１１４ｂに記憶する。
【０１４２】
これにより、第４の実施の形態に係る画像表示システムによれば、画像表示デバイスは、スキャナなどで読込んだ画像データを暗号化した暗号化データとして保存でき、当該画像表示デバイスを使用しているユーザの権限レベルなどに応じて暗号化データを部分領域単位で復号して表示することが可能となる。
【０１４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４４】
１０、１０Ａ、１１０、１１０Ａ…画像表示デバイス、１１、１１１…プロセッサ、１４ａ…表示データ記憶部、１１４ａ…暗号化データ記憶部、１４ｂ、１１４ｂ…管理データ記憶部、１５、１１５…表示モジュール、１７…応力測定モジュール、１８…加速度測定モジュール、１９、１２０…通信モジュール、ＫＤ…キーデバイス、１１７…復号モジュール、１１８…ユーザ情報判別モジュール、１１９…外部通信モジュール、２０、１３０…画像処理装置、２１、１３１…システム制御部、２２、１３２…スキャナ、３１、１４１…プロセッサ、３５、１４５…画像入力インターフェース、３６、１４６…通信モジュール、３７、１４７…領域解析モジュール、３８、１４８…ＯＣＲモジュール、３９、１４９…情報解析モジュール、１５０…暗号化モジュール。
【図１】
2011054171.tif 000003
【図２】
2011054171.tif 000004
【図３】
2011054171.tif 000005
【図４】
2011054171.tif 000006
【図５】
2011054171.tif 000007
【図６】
2011054171.tif 000008
【図７】
2011054171.tif 000009
【図８】
2011054171.tif 000010
【図９】
2011054171.tif 000011
【図１０】
2011054171.tif 000012
【図１１】
2011054171.tif 000013
【図１２】
2011054171.tif 000014
【図１３】
2011054171.tif 000015
【図１４】
2011054171.tif 000016
【図１５】
2011054171.tif 000017
【図１６】
2011054171.tif 000018
【図１７】
2011054171.tif 000019
【図１８】
2011054171.tif 000020
【図１９】
2011054171.tif 000021
【図２０】
2011054171.tif 000022